(57)【要約】【課題】サスペンションの形式等に関わらず、確実に走行車線からの逸脱を回避する方向にヨーモーメントが発生するように、各輪の制動力を適切に分配して制動制御する。【解決手段】白線、障害物に対する第１、第２の逸脱量を算出し、ヨーモーメントを発生させて白線、障害物に対する逸脱を防止するための第１、第２の制動力制御量、減速度を発生させて白線、障害物に対する逸脱を防止するための第３、第４の制動力制御量を設定する。第１、第２の制動力制御量によりヨーモーメントを発生させるための制動力制御を実行する際に、前軸のキングピン配置に起因する路外逸脱方向へのステアリングトルクの発生が予め設定した値を超えないようにヨーモーメントを発生させるための制動力制御量の前軸側の分担率を制限すると共に、前後の制動力配分が接地荷重配分となるように制動力配分を補正して、各輪の路外逸脱防止制御用制動力を算出する。【選択図】図２
2011079353.tif 000002
【特許請求の範囲】
【請求項１】
少なくとも路側の障害物情報と白線情報を検出する道路情報検出手段と、
上記白線情報に基づいて自車両の白線からの逸脱量を第１の逸脱量として算出する第１の逸脱量算出手段と、
上記障害物情報に基づいて自車両の障害物に対する逸脱量を第２の逸脱量として算出する第２の逸脱量算出手段と、
自車両の白線からの逸脱を防止すべく自車両にヨーモーメントを発生させるための第１の制動力制御量を上記第１の逸脱量に応じて設定する第１の制動力制御量設定手段と、
自車両の障害物に対する逸脱を防止すべく自車両にヨーモーメントを発生させるための第２の制動力制御量を上記第２の逸脱量に応じて設定する第２の制動力制御量設定手段と、
上記第１の制動力制御量と上記第２の制動力制御量とにより自車両にヨーモーメントを発生させるための制動力制御を実行する際に、フロントサスペンションのキングピン配置に起因する路外逸脱方向へのステアリングトルクの発生が予め設定した閾値を超えないようにヨーモーメントを発生させるための制動力制御量の前軸側の分担率を制限する分担率制限手段と、
少なくとも上記分担率が制限された制動力制御量でヨーモーメント制御を実行する路外逸脱防止制御実行手段と、
を備えたことを特徴とする車両の路外逸脱防止制御装置。
【請求項２】
自車両の白線からの逸脱を防止すべく自車両に減速度を発生させるための第３の制動力制御量を上記第１の逸脱量に応じて設定する第３の制動力制御量設定手段と、
自車両の障害物に対する逸脱を防止すべく自車両に減速度を発生させるための第４の制動力制御量を上記第２の逸脱量に応じて設定する第４の制動力制御量設定手段と、
上記第１の制動力制御量と上記第２の制動力制御量と上記第３の制動力制御量と上記第４の制動力制御量と上記分担率制限手段による制限に基づいて左輪側と右輪側のどちらかの制動力が高くなる方の前後の制動力配分が予め設定する制動力配分となるように制動力配分を補正する制動力配分補正手段と、
を備えたことを特徴とする請求項１記載の車両の路外逸脱防止制御装置。
【請求項３】
第１の制動力制御量は、上記第３の制動力制御量が設定される逸脱量の領域よりも小さな逸脱量の領域から上記第１の逸脱量に応じて設定されることを特徴とする請求項２記載の車両の路外逸脱防止制御装置。
【請求項４】
第２の制動力制御量は、上記第４の制動力制御量が設定される逸脱量の領域よりも小さな逸脱量の領域から上記第２の逸脱量に応じて設定されることを特徴とする請求項２又は請求項３記載の車両の路外逸脱防止制御装置。
【請求項５】
上記制動力配分補正手段で用いる上記予め設定する制動力配分は、自車両の接地荷重配分であることを特徴とする請求項２乃至請求項４の何れか一つに記載の車両の路外逸脱防止制御装置。
【請求項６】
上記分担率制限手段で用いる上記予め設定した閾値は、少なくともステアリング系のフリクションとスクラブ半径により設定することを特徴とする請求項１乃至請求項５の何れか一つに記載の車両の路外逸脱防止制御装置。
【発明の詳細な説明】
【技術分野】
【０００１】
本発明は、制動力制御によりヨーモーメント及び減速度を発生させて路側障害物への逸脱防止、白線から路外への逸脱防止を図る車両の路外逸脱防止制御装置に関する。
【背景技術】
【０００２】
近年、車両の路外逸脱防止を図り安全性を向上する、様々な車両の路外逸脱防止制御装置の技術が提案され実用化されている。例えば、特開２００３−１１２５４０号公報（特許文献１）では、走行車線からの逸脱量推定値に基づいて、走行車線からの逸脱を回避する方向にヨーモーメントが発生するように各車輪の制駆動力制御量を左右輪の制駆動力の差を上限値で制限しつつ算出すると共に、逸脱量推定値に基づいて、減速するように各車輪の制動力制御量を算出し、各車輪の制駆動力を制御する技術が開示されている。
【先行技術文献】
【特許文献】
【０００３】
【特許文献１】特開２００３−１１２５４０号公報
【特許文献２】特開２００４−６７０４０号公報
【発明の概要】
【発明が解決しようとする課題】
【０００４】
しかしながら、上述の特許文献１に開示されるような車線逸脱防止制御では、フロントサスペンションの形式により、その制御を大幅に変更する必要があり、例えば、フロントサスペンションがネガティブスクラブに設定されていると、制動力の付加により路外逸脱方向に舵がとられてしまうという問題がある。
【０００５】
そこで、例えば、特開２００４−６７０４０号公報（特許文献２）に開示されるような、制駆動力制御手段によって制御された左右輪の制駆動力の差に応じて、電動パワーステアリングによるダンピングトルクの設定を変更する技術を採用して対処することも考えられるが、各輪の制動力のばらつきや駆動系の干渉、ブレーキ加減圧中の過渡領域まで含めた完全な補償は困難である。更に、ＡＢＳ（AntilockBrake System）等の介入があると、電動パワーステアリング側の制御遅れによるハンチング等の虞がある。
【０００６】
こうしたことを考慮して、上述の特許文献１の技術のように、左右輪の制動力差を制限するようにした場合、その際に不足するヨーモーメントを適切に補償しなければ、必要な路外逸脱防止機能が得られなくなってしまう。
【０００７】
本発明は上記事情に鑑みてなされたもので、サスペンションの形式等に関わらず、確実に走行車線からの逸脱を回避する方向にヨーモーメントが発生するように、各輪の制動力を適切に分配して制動制御することができる車両の路外逸脱防止制御装置を提供することを目的としている。
【課題を解決するための手段】
【０００８】
本発明は、少なくとも路側の障害物情報と白線情報を検出する道路情報検出手段と、上記白線情報に基づいて自車両の白線からの逸脱量を第１の逸脱量として算出する第１の逸脱量算出手段と、上記障害物情報に基づいて自車両の障害物に対する逸脱量を第２の逸脱量として算出する第２の逸脱量算出手段と、自車両の白線からの逸脱を防止すべく自車両にヨーモーメントを発生させるための第１の制動力制御量を上記第１の逸脱量に応じて設定する第１の制動力制御量設定手段と、自車両の障害物に対する逸脱を防止すべく自車両にヨーモーメントを発生させるための第２の制動力制御量を上記第２の逸脱量に応じて設定する第２の制動力制御量設定手段と、上記第１の制動力制御量と上記第２の制動力制御量とにより自車両にヨーモーメントを発生させるための制動力制御を実行する際に、フロントサスペンションのキングピン配置に起因する路外逸脱方向へのステアリングトルクの発生が予め設定した閾値を超えないようにヨーモーメントを発生させるための制動力制御量の前軸側の分担率を制限する分担率制限手段と、少なくとも上記分担率が制限された制動力制御量でヨーモーメント制御を実行する路外逸脱防止制御実行手段とを備えたことを特徴としている。
【発明の効果】
【０００９】
本発明による車両の路外逸脱防止制御装置によれば、サスペンションの形式等に関わらず、確実に走行車線からの逸脱を回避する方向にヨーモーメントが発生するように、各輪の制動力を適切に分配して制動制御することが可能となる。
【図面の簡単な説明】
【００１０】
【図１】本発明の実施の一形態に係る車両に搭載した路外逸脱防止制御装置の概略構成図である。
【図２】本発明の実施の一形態に係る制御ユニットの機能ブロック図である。
【図３】本発明の実施の一形態に係る路外逸脱防止制御プログラムのフローチャートである。
【図４】本発明の実施の一形態に係る白線と路側障害物に対する自車両の位置関係とそれぞれに対する逸脱量の説明図である。
【図５】本発明の実施の一形態に係るヨーモーメントを発生させるための第１、第２の制動力制御量と減速度を発生させるための第３、第４の制動力制御量の説明図である。
【図６】本発明の実施の一形態に係る各輪に付加される制動力の説明図である。
【発明を実施するための形態】
【００１１】
以下、図面に基づいて本発明の実施の形態を説明する。  
図１において、符号１は自動車等の車両（自車両）で、この車両１には、路外逸脱防止制御装置２が搭載されている。この路外逸脱防止制御装置２は、ステレオカメラ３、画像認識装置４、制御ユニット５等を有して主要に構成されている。
【００１２】
また、自車両１には、車速Ｖ０を検出して制御ユニット５に出力する車速センサ６、通常のブレーキ制御、アンチロックブレーキ制御、横滑り防止制御等のブレーキ制御に加えて、制御ユニット５からの制御信号（路外逸脱防止制御用各輪制動力Ｂfi、Ｂfo、Ｂri、Ｂro（尚、添え字「ｆ」は前輪であることを示し、添え字「ｒ」は後輪であることを示す。また、添え字「ｉ」は道路中央側の車輪であることを示し、添え字「ｏ」は路側側の車輪であることを示す。））で、ヨーモーメント制御及び減速制御を実行する路外逸脱防止制御実行手段としてのブレーキ制御装置１０が設けられている。
【００１３】
ステレオカメラ３は、ステレオ光学系として例えば電荷結合素子（ＣＣＤ）等の固体撮像素子を用いた１組の（左右の）ＣＣＤカメラで構成される。これら左右のＣＣＤカメラは、それぞれ車室内の天井前方に一定の間隔をもって取り付けられ、車外の対象を異なる視点からステレオ撮像し、画像データを画像認識装置４に入力する。
【００１４】
画像認識装置４における、ステレオカメラ３からの画像の処理は、例えば以下のように行われる。まず、ステレオカメラ３のＣＣＤカメラで撮像した自車両の進行方向の環境の１組のステレオ画像対に対し、対応する位置のずれ量から距離情報を求める処理を行なって、三次元の距離分布を表す距離画像を生成する。
【００１５】
このデータを基に、周知のグルーピング処理や、予め記憶しておいた３次元的な道路形状データ、側壁データ、立体物データ等と比較し、白線データ、路側障害物データ（道路に沿って存在するガードレール、縁石等の側壁、電柱等の固定障害物、４輪車、２輪車、歩行者等の立体物データ）を抽出する。こうして抽出された白線データ、路側障害物データは、それぞれのデータの種類毎に異なったナンバーが割り当てられる。
【００１６】
そして、画像認識装置４は、白線、及び、路側障害物について、予め定めた自車両１のカメラ位置を中心とする所定の２次元座標上に、それぞれが存在する位置をメモリし、制御ユニット５に出力する。
【００１７】
また、画像認識装置４は、図４に示すように、現在の自車両１の進行方向（カメラ位置を中心とする直進方向）と白線とのなす角を交差角αとして算出し、また、現在の、自車両の中心から白線までの距離（白線への垂線方向距離）ｙL0、及び、現在の自車両の中心から障害物までの距離（白線への垂線方向と平行な方向での距離）ｙs0を算出して制御ユニット５に出力する。このように、ステレオカメラ３、画像認識装置４は、道路情報検出手段として設けられている。
【００１８】
制御ユニット５は、上述の画像認識装置４から白線、及び、路側障害物の座標位置情報、交差角α、現在の自車両の中心から白線までの距離ｙL0、現在の自車両の中心から障害物までの距離ｙs0が入力される。また、車速センサ６から車速Ｖ０が入力される。
【００１９】
そして、制御ユニット５は、後述の路外逸脱防止制御プログラムに従って、白線位置情報に基づいて所定時間後の自車両の白線からの逸脱量を第１の逸脱量ｙLとして算出し、障害物位置情報に基づいて所定時間後の自車両の障害物に対する逸脱量を第２の逸脱量ｙSとして算出し、自車両１にヨーモーメントを発生させて自車両１の白線からの逸脱を防止するための第１の制動力制御量ＢyLを第１の逸脱量ｙLに応じて設定し、自車両１にヨーモーメントを発生させて自車両１の障害物に対する逸脱を防止するための第２の制動力制御量ＢySを第２の逸脱量ｙSに応じて設定する。また、自車両１に減速度を発生させて自車両１の白線からの逸脱を防止するための第３の制動力制御量ＢDLを第１の逸脱量ｙLに応じて設定し、自車両１に減速度を発生させて自車両１の障害物に対する逸脱を防止するための第４の制動力制御量ＢDSを第２の逸脱量ｙSに応じて設定する。そして、第１、第２の制動力制御量ＢyL、ＢySにより自車両１にヨーモーメントを発生させるための制動力制御を実行する際に、フロントサスペンションのキングピン配置に起因する路外逸脱方向へのステアリングトルクの発生が予め設定した閾値（前軸左右輪の制動力差最大値ΔＢf_max）を超えないようにヨーモーメントを発生させるための制動力制御量の前軸側の分担率を制限すると共に、左輪側と右輪側のどちらかの制動力が高くなる方の前後の制動力配分が予め設定する制動力配分（例えば、接地荷重配分）となるように制動力配分を補正して、各輪の制動力Ｂfi、Ｂfo、Ｂri、Ｂroを算出し、ブレーキ制御装置１０に出力して路外逸脱防止制御を実行するようになっている。
【００２０】
すなわち、制御ユニット５は、図２に示すように、予見距離算出部５ａ、白線からの逸脱量算出部５ｂ、障害物に対する逸脱量算出部５ｃ、第１の制動力制御量設定部５ｄ、第２の制動力制御量設定部５ｅ、第３の制動力制御量設定部５ｆ、第４の制動力制御量設定部５ｇ、前軸左右輪の制動力差算出部５ｈ、後軸左右輪の制動力差算出部５ｉ、減速制御用制動力の前軸負担率算出部５ｊ、前輪の減速制御用制動力算出部５ｋ、後輪の減速制御用制動力算出部５ｌ、路外逸脱防止制御用各輪制動力算出部５ｍから主要に構成されている。
【００２１】
予見距離算出部５ａは、車速センサ６から車速Ｖ０が入力され、例えば、以下の（１）式により、予見距離Ｌｘを算出し、白線からの逸脱量算出部５ｂ、障害物に対する逸脱量算出部５ｃに出力する。  
Ｌｘ＝Ｖ０・ｔ    …（１）
ここで、ｔは、予め設定しておいた予見時間である。すなわち、予見距離とは、予見時間ｔ後に、自車両１が存在すると推定される位置までの距離である。尚、予見距離Ｌｘは、上述の（１）式で算出する距離に限るものではない。
【００２２】
白線からの逸脱量算出部５ｂは、画像認識装置４から交差角α、現在の自車両の中心から白線までの距離ｙL0が入力され、予見距離算出部５ａから予見距離Ｌｘが入力される。そして、図４に示すように、以下の（２）式により、予見距離Ｌｘにおける自車両１の白線からの逸脱量（第１の逸脱量）ｙLを算出して、第１の制動力制御量設定部５ｄ、第３の制動力制御量設定部５ｆに出力する。  
ｙL＝Ｌｘ・sin(α)−ｙL0        …（２）
このように、白線からの逸脱量算出部５ｂは、第１の逸脱量算出手段として設けられている。
【００２３】
障害物に対する逸脱量算出部５ｃは、画像認識装置４から交差角α、現在の自車両の中心から障害物までの距離ｙs0が入力され、予見距離算出部５ａから予見距離Ｌｘが入力される。そして、図４に示すように、以下の（３）式により、予見距離Ｌｘにおける自車両１の障害物に対する逸脱量（第２の逸脱量）ｙSを算出して、第２の制動力制御量設定部５ｅ、第４の制動力制御量設定部５ｇに出力する。  
ｙS＝Ｌｘ・sin(α)−ｙs0        …（３）
このように、障害物に対する逸脱量算出部５ｃは、第２の逸脱量算出手段として設けられている。
【００２４】
第１の制動力制御量設定部５ｄは、画像認識装置４から交差角αが入力され、白線からの逸脱量算出部５ｂから白線からの逸脱量ｙLが入力される。そして、実験・計算等に基づいて予め設定しておいた、図５（ａ）に示すような、白線からの逸脱量ｙLと交差角αと第１の制動力制御量ＢyLのマップを参照して、第１の制動力制御量ＢyLを設定して前軸左右輪の制動力差算出部５ｈ、後軸左右輪の制動力差算出部５ｉ、減速制御用制動力の前軸負担率算出部５ｊ、前輪の減速制御用制動力算出部５ｋに出力する。尚、図５（ａ）中の、基準位置は、予め設定した位置であり、例えば、白線から道路中央側に一定距離離れた位置、或いは、白線の内側（道路中央側）端部である。また、第１の制動力制御量ＢyLは、図５（ａ）に示したマップから設定するものに限るものではなく、予め設定しておいた算出式等から算出するようにしても良い。
【００２５】
第１の制動力制御量ＢyLは、図５（ａ）からも解るように、交差角αが大きいほど、すなわち、白線に対して直交していき、緊急度が高いと判断される場合ほど、大きな値に設定される。また、第１の制動力制御量ＢyLは、白線からの逸脱量ｙLが大きい場合ほど、大きな値に設定される。
【００２６】
また、図５（ａ）中の破線は、第３の制動力制御量ＢDL（後述する）であり、第１の制動力制御量ＢyLは、白線からの逸脱量ｙLが第３の制動力制御量ＢDLが設定される逸脱量の領域よりも小さい逸脱量の領域から設定される特性となっている。
【００２７】
このため、自車両１の白線からの逸脱量ｙLが小→大→小と変化していくと、まず、白線からの逸脱量ｙLが小さいときには、第１の制動力制御量ＢyLによる自車両１にヨーモーメントを発生させて自車両１の白線からの逸脱を防止するための制動力制御が行われる。
【００２８】
次に、白線からの逸脱量ｙLが大きくなると、第１の制動力制御量ＢyLによるヨーモーメント発生による逸脱防止制御に加え、第３の制動力制御量ＢDLによる減速度を発生させて白線からの逸脱を防止するための制動力制御が行われる。
【００２９】
そして、再び、白線からの逸脱量ｙLが小さくなると、第１の制動力制御量ＢyLによるヨーモーメント発生による逸脱防止制御のみが行われるようになっている。このように、第１の制動力制御量設定部５ｄは、第１の制動力制御量設定手段として設けられている。
【００３０】
第２の制動力制御量設定部５ｅは、障害物に対する逸脱量算出部５ｃから障害物に対する逸脱量ｙSが入力される。そして、実験・計算等に基づいて予め設定しておいた、図５（ｂ）に示すような、障害物に対する逸脱量ｙSと第２の制動力制御量ＢySのマップを参照して、第２の制動力制御量ＢySを設定して前軸左右輪の制動力差算出部５ｈ、後軸左右輪の制動力差算出部５ｉ、減速制御用制動力の前軸負担率算出部５ｊ、前輪の減速制御用制動力算出部５ｋに出力する。尚、図５（ｂ）中の、基準位置は、予め設定した位置であり、例えば、障害物端部から道路中央側に一定距離離れた位置である。また、第２の制動力制御量ＢySは、図５（ｂ）に示したマップから設定するものに限るものではなく、予め設定しておいた算出式等から算出するようにしても良い。
【００３１】
第２の制動力制御量ＢySは、図５（ｂ）からも解るように、障害物に対する逸脱量ｙSが大きい場合ほど、大きな値に設定される。
【００３２】
また、図５（ｂ）中の破線は、第４の制動力制御量ＢDS（後述する）であり、第２の制動力制御量ＢySは、障害物に対する逸脱量ｙSが第４の制動力制御量ＢDSが設定される逸脱量の領域よりも小さい逸脱量の領域から設定される特性となっている。
【００３３】
このため、自車両１の障害物に対する逸脱量ｙSが小→大→小と変化していくと、まず、障害物に対する逸脱量ｙSが小さいときには、第２の制動力制御量ＢySによる自車両１にヨーモーメントを発生させて自車両１の白線からの逸脱を防止するための制動力制御が行われる。
【００３４】
次に、障害物に対する逸脱量ｙSが大きくなると、第２の制動力制御量ＢySによるヨーモーメント発生による逸脱防止制御に加え、第４の制動力制御量ＢDSによる減速度を発生させて白線からの逸脱を防止するための制動力制御が行われる。
【００３５】
そして、再び、障害物に対する逸脱量ｙSが小さくなると、第２の制動力制御量ＢySによるヨーモーメント発生による逸脱防止制御のみが行われるようになっている。このように、第２の制動力制御量設定部５ｅは、第２の制動力制御量設定手段として設けられている。
【００３６】
第３の制動力制御量設定部５ｆは、白線からの逸脱量算出部５ｂから白線からの逸脱量ｙLが入力される。そして、実験・計算等に基づいて予め設定しておいた、図５（ａ）に示すような、白線からの逸脱量ｙLと第３の制動力制御量ＢDLのマップを参照して、第３の制動力制御量ＢDLを設定して減速制御用制動力の前軸負担率算出部５ｊ、前輪の減速制御用制動力算出部５ｋ、後輪の減速制御用制動力算出部５ｌに出力する。尚、第３の制動力制御量ＢDLは、図５（ａ）に示したマップから設定するものに限るものではなく、予め設定しておいた算出式等から算出するようにしても良い。
【００３７】
第３の制動力制御量ＢDLは、図５（ａ）からも解るように、白線からの逸脱量ｙLが大きい場合ほど、大きな値に設定される。また、上述したように、第１の制動力制御量ＢyLが、第３の制動力制御量ＢDLが設定される逸脱量の領域よりも小さい逸脱量の領域から設定される特性となっている。このように、第３の制動力制御量ＢDLは、第３の制動力制御量設定手段として設けられている。
【００３８】
第４の制動力制御量設定部５ｇは、障害物に対する逸脱量算出部５ｃから障害物に対する逸脱量ｙSが入力される。そして、実験・計算等に基づいて予め設定しておいた、図５（ｂ）に示すような、障害物に対する逸脱量ｙSと第４の制動力制御量ＢDSのマップを参照して、第４の制動力制御量ＢDSを設定して減速制御用制動力の前軸負担率算出部５ｊ、前輪の減速制御用制動力算出部５ｋ、後輪の減速制御用制動力算出部５ｌに出力する。尚、第４の制動力制御量ＢDSは、図５（ｂ）に示したマップから設定するものに限るものではなく、予め設定しておいた算出式等から算出するようにしても良い。
【００３９】
第４の制動力制御量ＢDSは、図５（ｂ）からも解るように、障害物に対する逸脱量ｙSが大きい場合ほど、大きな値に設定される。また、上述したように、第２の制動力制御量ＢySが、第４の制動力制御量ＢDSが設定される逸脱量の領域よりも小さい逸脱量の領域から設定される特性となっている。このように、第４の制動力制御量設定部５ｇは、第４の制動力制御量設定手段として設けられている。
【００４０】
以上のように、本実施の形態では、自車両の白線・障害物に対する逸脱を防止すべくヨーモーメントを発生させるための制動力制御量は、（第１の制動力制御量ＢyL＋第２の制動力制御量ＢyS）となっており、図６に示すように、道路中央側（ｉ側）の車輪（前後輪）に付加される。また、自車両の白線・障害物に対する逸脱を防止すべく減速度を発生させるための制動力制御量は、（第３の制動力制御量ＢDL＋第４の制動力制御量ＢDS）となっており、図６に示すように、全輪に付加される。
【００４１】
前軸左右輪の制動力差算出部５ｈは、第１の制動力制御量設定部５ｄから第１の制動力制御量ＢyLが入力され、第２の制動力制御量設定部５ｅから第２の制動力制御量ＢySが入力される。そして、以下の（４）式により、自車両にヨーモーメントを発生させるための制動力制御を実行する際に前軸側で分担させる制動力制御量、すなわち、前軸左右輪の制動力差ΔＢｆを算出し、後軸左右輪の制動力差算出部５ｉ、前輪の減速制御用制動力算出部５ｋ、路外逸脱防止制御用各輪制動力算出部５ｍに出力する。  
ΔＢｆ＝min（（ＢyL＋ＢyS）・Ｃｙ，ΔＢf_max）    …（４）
ここで、（４）式における、minは、（ＢyL＋ＢyS）・ＣｙとΔＢf_maxの小さい方を選択する関数である。
【００４２】
Ｃｙは、予め実験、計算等により設定しておいたヨーモーメントの前軸負担率である。また、ΔＢf_maxは、前軸左右輪の制動力差最大値であり、以下の（５）式で算出される。  
ΔＢf_max＝−（Ｔf_str・Ｇstr）／Ｌscr          …（５）
ここで、Ｔf_strはステアリング系のフリクショントルクであり、Ｇstrはステアリングギヤ比であり、Ｌscrはスクラブ半径（但し、ポジティブスクラブは＋、ネガティブスクラブは−の符号）である。すなわち、前軸左右輪の制動力差最大値ΔＢf_maxは、ステアリングのフリクション、スクラブ半径等を左右輪の制動力差に換算した値となっており、上述の（４）式により、前軸左右輪の制動力差ΔＢｆは、常に、前軸左右輪の制動力差最大値ΔＢf_max以下に制限される。すなわち、第１、第２の制動力制御量ＢyL、ＢySにより自車両１にヨーモーメントを発生させるための制動力制御を実行する際に、フロントサスペンションのキングピン配置に起因する路外逸脱方向へのステアリングトルクの発生が予め設定した閾値（前軸左右輪の制動力差最大値ΔＢf_max）を超えないようにヨーモーメントを発生させるための制動力制御量の前軸側の分担率が制限されることとなる。
【００４３】
後軸左右輪の制動力差算出部５ｉは、第１の制動力制御量設定部５ｄから第１の制動力制御量ＢyLが入力され、第２の制動力制御量設定部５ｅから第２の制動力制御量ＢySが入力され、前軸左右輪の制動力差算出部５ｈから前軸左右輪の制動力差ΔＢｆが入力される。そして、以下の（６）式により、自車両にヨーモーメントを発生させるための制動力制御を実行する際に後軸側で分担させる制動力制御量、すなわち、後軸左右輪の制動力差ΔＢｒを算出し、路外逸脱防止制御用各輪制動力算出部５ｍに出力する。  
ΔＢｒ＝（ＢyL＋ＢyS）−ΔＢｆ        …（６）
以上のように、本実施の形態では、前軸左右輪の制動力差算出部５ｈ、後軸左右輪の制動力差算出部５ｉで分担率制限手段が構成されている。
【００４４】
減速制御用制動力の前軸負担率算出部５ｊは、第１の制動力制御量設定部５ｄから第１の制動力制御量ＢyLが入力され、第２の制動力制御量設定部５ｅから第２の制動力制御量ＢySが入力され、第３の制動力制御量設定部５ｆから第３の制動力制御量ＢDLが入力され、第４の制動力制御量設定部５ｇから第４の制動力制御量ＢDSが入力される。そして、以下の（７）式により、減速制御用制動力の前軸負担率ＣDを算出し、前輪の減速制御用制動力算出部５ｋに出力する。  
ＣD＝（Ｗｆ−（（ＢDL＋ＢDS）＋（ＢyL＋ＢyS））・（Ｈｇ／Ｌwb））
／（ｍ・ｇ）      …（７）
ここで、Ｗｆは加減速していないときの前軸荷重、ｍは車両質量、Ｈｇは重心高さ、Ｌwbはホイールベース、ｇは重力加速度である。すなわち、減速制御用制動力の前軸負担率ＣDは、動的な荷重移動を考慮した前軸側の接地荷重配分となっている。
【００４５】
前輪の減速制御用制動力算出部５ｋは、第１の制動力制御量設定部５ｄから第１の制動力制御量ＢyLが入力され、第２の制動力制御量設定部５ｅから第２の制動力制御量ＢySが入力され、第３の制動力制御量設定部５ｆから第３の制動力制御量ＢDLが入力され、第４の制動力制御量設定部５ｇから第４の制動力制御量ＢDSが入力され、前軸左右輪の制動力差算出部５ｈから前軸左右輪の制動力差ΔＢｆが入力され、減速制御用制動力の前軸負担率算出部５ｊから減速制御用制動力の前軸負担率ＣDが入力される。そして、以下の（８）式により、前輪の減速制御用制動力Ｂｆを算出し、後輪の減速制御用制動力算出部５ｌ、路外逸脱防止制御用各輪制動力算出部５ｍに出力する。
【００４６】
Ｂｆ＝（（ＢDL＋ＢDS）／２＋（ＢyL＋ＢyS））・ＣD−ΔＢｆ    …（８）
すなわち、この（８）式は、前輪の減速制御用の制動力Ｂｆを、減速制御用制動力の前軸負担率ＣDを用いて、動的な荷重移動を考慮した理想的な制動力配分となるように補正して求める算出式となっている。
【００４７】
後輪の減速制御用制動力算出部５ｌは、第３の制動力制御量設定部５ｆから第３の制動力制御量ＢDLが入力され、第４の制動力制御量設定部５ｇから第４の制動力制御量ＢDSが入力され、前輪の減速制御用制動力算出部５ｋから前輪の減速制御用制動力Ｂｆが入力される。そして、以下の（９）式により、後輪の減速制御用制動力Ｂｒを算出し、路外逸脱防止制御用各輪制動力算出部５ｍに出力する。  
Ｂｒ＝（ＢDL＋ＢDS）／２−Ｂｆ          …（９）
このように、本実施の形態では、減速制御用制動力の前軸負担率算出部５ｊ、前輪の減速制御用制動力算出部５ｋ、後輪の減速制御用制動力算出部５ｌで制動力配分補正手段が構成されている。
【００４８】
路外逸脱防止制御用各輪制動力算出部５ｍは、前軸左右輪の制動力差算出部５ｈから前軸左右輪の制動力差ΔＢｆが入力され、後軸左右輪の制動力差算出部５ｉから後軸左右輪の制動力差ΔＢｒが入力され、前輪の減速制御用制動力算出部５ｋから前輪の減速制御用制動力Ｂｆが入力され、後輪の減速制御用制動力算出部５ｌから後輪の減速制御用制動力Ｂｒが入力される。そして、以下の（１０）〜（１３）式により、道路中央側前輪の減速用制動力Ｂfi、路側側前輪の減速用制動力Ｂfo、道路中央側後輪の減速用制動力Ｂri、路側側後輪の減速用制動力Ｂroを算出し、ブレーキ制御装置１０に出力して、それぞれの路外逸脱防止制御用制動力Ｂfi、Ｂfo、Ｂri、Ｂroに相当する制動力をそれぞれの車輪に発生させる。  
Ｂfi＝ΔＢｆ＋Ｂｆ          …（１０）
Ｂfo＝Ｂｆ                  …（１１）
Ｂri＝ΔＢｒ＋Ｂｒ          …（１２）
Ｂro＝Ｂｒ                  …（１３）
このように、本実施の形態では、自車両１の道路中央側の前後輪に、路外逸脱を防止するヨーモーメントを発生させるための制動力制御量が付加されるので、確実に路外逸脱を防止することができる。そして、このヨーモーメントを発生させるための制動力制御量は、フロントサスペンションのキングピン配置に起因する路外逸脱方向へのステアリングトルクの発生が防止されるように、ステアリングのフリクション、スクラブ半径等を考慮して前後軸間で補完しつつ前軸の分担率が制限されるので、たとえ、ドライバがステアリングホイールから手を放すような状況が生じても、路外逸脱方向へのステアリングの回転を確実に防止することができる。また、どのような形式のフロントサスペンションにおいても容易に精度良く実現することができる。更に、前輪の路外逸脱防止制御用制動力Ｂｆ、後輪の路外逸脱防止制御用制動力Ｂｒは、動的な荷重移動を考慮して補正されるので、常に、理想的な制動力配分となる。
【００４９】
次に、上述の路外逸脱防止制御装置２で実行される路外逸脱防止制御プログラムを図３のフローチャートで説明する。  
まず、ステップ（以下、「Ｓ」と略称）１０１で、必要なパラメータ、すなわち、白線、及び、路側障害物の座標位置情報、交差角α、現在の自車両の中心から白線までの距離ｙL0、現在の自車両の中心から障害物までの距離ｙs0、車速Ｖ０を読み込む。
【００５０】
次いで、Ｓ１０２に進み、予見距離算出部５ａで、前述の（１）式により、予見距離Ｌｘを算出する。
【００５１】
次に、Ｓ１０３に進み、白線からの逸脱量算出部５ｂで、前述の（２）式により、白線からの逸脱量ｙLを算出する。
【００５２】
次いで、Ｓ１０４に進み、障害物に対する逸脱量算出部５ｃで、前述の（３）式により、障害物に対する逸脱量ｙSを算出する。
【００５３】
次に、Ｓ１０５に進み、第１の制動力制御量設定部５ｄで、図５（ａ）に示すような、白線からの逸脱量ｙLと交差角αと第１の制動力制御量ＢyLのマップを参照して、ヨーモーメントを発生させるための第１の制動力制御量ＢyLを設定する。また、第２の制動力制御量設定部５ｅで、図５（ｂ）に示すような、障害物に対する逸脱量ｙSと第２の制動力制御量ＢySのマップを参照して、ヨーモーメントを発生させるための第２の制動力制御量ＢySを設定する。
【００５４】
次いで、Ｓ１０６に進み、第３の制動力制御量設定部５ｆで、図５（ａ）に示すような、白線からの逸脱量ｙLと第３の制動力制御量ＢDLのマップを参照して、減速度を発生させるための第３の制動力制御量ＢDLを設定する。また、第４の制動力制御量設定部５ｇで、図５（ｂ）に示すような、障害物に対する逸脱量ｙSと第４の制動力制御量ＢDSのマップを参照して、減速度を発生させるための第４の制動力制御量ＢDSを設定する。
【００５５】
次に、Ｓ１０７に進み、前軸左右輪の制動力差算出部５ｈで、前述の（４）式により、前軸左右輪の制動力差ΔＢｆを算出する。
【００５６】
次いで、Ｓ１０８に進んで、後軸左右輪の制動力差算出部５ｉで、前述の（６）式により、後軸左右輪の制動力差ΔＢｒを算出する。
【００５７】
次に、Ｓ１０９に進み、減速制御用制動力の前軸負担率算出部５ｊで、前述の（７）式により、減速制御用制動力の前軸負担率ＣDを算出する。
【００５８】
次いで、Ｓ１１０に進んで、前輪の減速制御用制動力算出部５ｋで、前述の（８）式により、前輪の減速制御用制動力Ｂｆを算出する。
【００５９】
次に、Ｓ１１１に進み、後輪の減速制御用制動力算出部５ｌで、前述の（９）式により、後輪の減速制御用制動力Ｂｒを算出する。
【００６０】
そして、Ｓ１１２に進んで、路外逸脱防止制御用各輪制動力算出部５ｍで、前述の（１０）〜（１３）式により、道路中央側前輪の路外逸脱防止用制動力Ｂfi、路側側前輪の路外逸脱防止用制動力Ｂfo、道路中央側後輪の路外逸脱防止用制動力Ｂri、路側側後輪の路外逸脱防止用制動力Ｂroを算出し、ブレーキ制御装置１０に出力して、プログラムを抜ける。
【００６１】
このように、本発明の実施の形態によれば、白線からの逸脱量を第１の逸脱量ｙLとして算出し、障害物に対する逸脱量を第２の逸脱量ｙSとして算出し、自車両１にヨーモーメントを発生させて自車両１の白線からの逸脱を防止するための第１の制動力制御量ＢyLを第１の逸脱量ｙLに応じて設定し、自車両１にヨーモーメントを発生させて自車両１の障害物に対する逸脱を防止するための第２の制動力制御量ＢySを第２の逸脱量ｙSに応じて設定する。また、自車両１に減速度を発生させて自車両１の白線からの逸脱を防止するための第３の制動力制御量ＢDLを第１の逸脱量ｙLに応じて設定し、自車両１に減速度を発生させて自車両１の障害物に対する逸脱を防止するための第４の制動力制御量ＢDSを第２の逸脱量ｙSに応じて設定する。そして、第１、第２の制動力制御量ＢyL、ＢySにより自車両１にヨーモーメントを発生させるための制動力制御を実行する際に、フロントサスペンションのキングピン配置に起因する路外逸脱方向へのステアリングトルクの発生が予め設定した閾値（前軸左右輪の制動力差最大値ΔＢf_max）を超えないようにヨーモーメントを発生させるための制動力制御量の前軸側の分担率を制限すると共に、左輪側と右輪側のどちらかの制動力が高くなる方の前後の制動力配分が予め設定する制動力配分（例えば、接地荷重配分）となるように制動力配分を補正して、各輪の路外逸脱防止制御用制動力Ｂfi、Ｂfo、Ｂri、Ｂroを算出し、ブレーキ制御装置１０に出力して路外逸脱防止制御を実行する。
【００６２】
このため、本実施の形態では、自車両１の道路中央側の前後輪に、路外逸脱を防止するヨーモーメントを発生させるための制動力制御量が付加されるので、確実に路外逸脱を防止することができる。そして、このヨーモーメントを発生させるための制動力制御量は、フロントサスペンションのキングピン配置に起因する路外逸脱方向へのステアリングトルクの発生が防止されるように、ステアリングのフリクション、スクラブ半径等を考慮して前後軸間で補完しつつ前軸の分担率が制限されるので、たとえ、ドライバがステアリングホイールから手を放すような状況が生じても、路外逸脱方向へのステアリングの回転を確実に防止することができる。また、どのような形式のフロントサスペンションにおいても容易に精度良く実現することができる。更に、前輪の減速制御用制動力Ｂｆ、後輪の減速制御用制動力Ｂｒは、動的な荷重移動を考慮して補正されるので、常に、理想的な制動力配分となる。
【００６３】
尚、白線が検出されないような走行路では、ナビゲーション装置等の地図情報を基に、或いは、検出された路側障害物の位置情報を基に、仮想的な白線を設定し、該仮想的な白線を基に制御するようにしても良い。また、路側障害物が検出されない場合は、予め設定しておいた値（例えば、大きな値）を基に制御するようにしても良い。
【符号の説明】
【００６４】
１    自車両
２    路外逸脱防止制御装置
３    ステレオカメラ（道路情報検出手段）
４    画像認識装置（道路情報検出手段）
５    制御ユニット
５ａ  予見距離算出部
５ｂ  白線からの逸脱量算出部（第１の逸脱量算出手段）
５ｃ  障害物に対する逸脱量算出部（第２の逸脱量算出手段）
５ｄ  第１の制動力制御量設定部（第１の制動力制御量設定手段）
５ｅ  第２の制動力制御量設定部（第２の制動力制御量設定手段）
５ｆ  第３の制動力制御量設定部（第３の制動力制御量設定手段）
５ｇ  第４の制動力制御量設定部（第４の制動力制御量設定手段）
５ｈ  前軸左右輪の制動力差算出部（分担率制限手段）
５ｉ  後軸左右輪の制動力差算出部（分担率制限手段）
５ｊ  減速制御用制動力の前軸負担率算出部（制動力配分補正手段）
５ｋ  前輪の減速制御用制動力算出部（制動力配分補正手段）
５ｌ  後輪の減速制御用制動力算出部（制動力配分補正手段）
５ｍ  路外逸脱防止制御用各輪制動力算出部
６    車速センサ
１０    ブレーキ制御装置（路外逸脱防止制御実行手段）
【図１】
2011079353.tif 000003
【図２】
2011079353.tif 000004
【図３】
2011079353.tif 000005
【図４】
2011079353.tif 000006
【図５】
2011079353.tif 000007
【図６】
2011079353.tif 000008